(57)【要約】      （修正有）【課題】灯具を同時に無線ネットワークのルーターまたは無線集線器とすることができるＬＥＤ照明装置を提供する。【解決手段】ＬＥＤ照明装置４０を開示している。ＬＥＤ照明装置は、ＬＥＤ発光アセンブリ４１と、ＬＥＤ駆動回路４２と、無線信号を送受信し、無線ルーティング機能を有する無線ルーティングモジュール４３とを含む。ＬＥＤ駆動回路は、ＬＥＤ発光アセンブリと無線ルーティングモジュールにそれぞれ接続される。ＬＥＤ照明ネットワークシステムにおいて、少なくとも二つのＬＥＤ照明装置であるノードからなるシステムであって、各ノードは、受信した無線信号を、その無線信号のカバー範囲内のその他のノードまで転送する。【選択図】図２
0003198263.tif 000002
【実用新案登録請求の範囲】
【請求項１】
少なくとも一つのＬＥＤ発光アセンブリと、少なくとも一つのＬＥＤ駆動回路と、無線信号を送受信し、無線ルーティング機能を有する少なくとも一つの無線ルーティングモジュールとを含み、
上記ＬＥＤ駆動回路は、ＬＥＤ発光アセンブリと無線ルーティングモジュールとにそれぞれ接続されることを特徴とするＬＥＤ照明装置。
【請求項２】
上記無線ルーティングモジュールは、無線信号を介してインターネットネットワークまたはローカルエリアネットワークにアクセスすることを特徴とする請求項１に記載のＬＥＤ照明装置。
【請求項３】
少なくとも二つの、請求項１に記載のＬＥＤ照明装置であるノードからなるＬＥＤ照明ネットワークシステムであって、各ノードは、受信した無線信号を、その無線信号がカバーする範囲内の、その他のノードまで転送することを特徴とするＬＥＤ照明ネットワークシステム。
【請求項４】
無線信号を介してインターネットネットワークまたはローカルエリアネットワークにアクセスすることを特徴とする請求項３に記載のＬＥＤ照明ネットワークシステム。
【請求項５】
該システムにおけるノードに対して状態読取と遠隔制御を実現する制御端末を更に含み、上記制御端末は、無線信号を介して各ノードに接続されることを特徴とする請求項３に記載のＬＥＤ照明ネットワークシステム。
【請求項６】
上記制御端末は、コンピュータ、タブレットＰＣまたはスマートフォンであることを特徴とする請求項５に記載のＬＥＤ照明ネットワークシステム。
【考案の詳細な説明】
【技術分野】
【０００１】
本考案は、ＬＥＤ照明技術分野に係り、特に無線ルーティング機能付きのＬＥＤ照明装置およびＬＥＤ照明ネットワークシステムに係る。
【背景技術】
【０００２】
インテリジェント制御照明装置およびそのシステムは、一貫した、新世代の照明技術案の研究課題である。よく用いられる概念は、下記の数種類に過ぎない。
１．外部条件をセンサーを通じて取得し、例えば環境輝度を光素子で検出することによって、灯具を自動的にスイッチングする。
２．有線インタフェースネットワークを介して灯具の状態を読み取ることによって、建築物の灯具スイッチボックスを把握して制御し、明るさを調整する。
３．例えば無線ネットワークの無線信号を介して、無線送受信機能を有する灯具を制御することによって、遠隔での調整制御を実現する。
【０００３】
以上の数種類の制御方式において、無線制御方法は、その使用の便利さや、灯具の取り付けや配線に付加的な要求がないことから、ますます消費者に求められている。一方、従来の無線制御方法は、障害物、伝送距離および伝送電力から制限を受け、カバーする範囲に往々にして限度があるため、無線制御の利便性と信頼性とが制限されている。
【０００４】
図１は、上記した従来の無線制御に基づく照明システムを示している。１０は、外付けリモコンであり、ＬＥＤ照明装置２１、２２は、信号の有効カバー範囲内にある。一方、ＬＥＤ照明装置３１、３２は、距離や障害物などが原因となって信号無しエリア４０内に位置するため、有効な無線信号を受信することができない。また、上記無線制御方法において、リモコンとＬＥＤ照明装置の無線接続が星形状の構造であり、ＬＥＤ照明装置同士が情報を互いに転送することができないため、物理的に無線信号の伝送距離が制限される。
【考案の概要】
【課題を解決するための手段】
【０００５】
本考案は、上記従来技術において存在する不備に鑑み、無線ルーティング機能付きのＬＥＤ照明装置を提供しており、単独またはアドホックネットワークの形式でインターネットおよびローカルエリアネットワークに接続するため、灯具の状態の把握と遠隔での制御とがより容易になる。
【０００６】
本考案の技術案は、下記のように実現される。
【０００７】
少なくとも一つのＬＥＤ発光アセンブリと、少なくとも一つのＬＥＤ駆動回路と、無線信号を送受信し、無線ルーティング機能を有する少なくとも一つの無線ルーティングモジュールとを含み、上記ＬＥＤ駆動回路は、ＬＥＤ発光アセンブリと無線ルーティングモジュールとにそれぞれ接続されるＬＥＤ照明装置。
【０００８】
好ましくは、上記無線ルーティングモジュールは、無線信号を介してインターネットネットワークまたはローカルエリアネットワークにアクセスする。
【０００９】
少なくとも二つの、上記ＬＥＤ照明装置であるノードからなるＬＥＤ照明ネットワークシステムであって、各ノードは、受信した無線信号を、その無線信号がカバーする範囲内の、その他のノードまで転送するＬＥＤ照明ネットワークシステム。ＬＥＤ照明装置同士が無線信号の送受信と転送とを介して、ブリッジしてアドホック方式で網形状構造の無線ネットワークを構成するので、従来の星形状ネットワークと異なる。
【００１０】
好ましくは、該システムは、無線信号を介してインターネットネットワークまたはローカルエリアネットワークにアクセスする。
【００１１】
好ましくは、該システムは、該システムにおけるノードに対して状態の読取と遠隔制御を実現する制御端末を更に含み、上記制御端末は、無線信号を介して各ノードに接続される。
【００１２】
好ましくは、上記制御端末は、コンピュータ、タブレットＰＣまたはスマートフォンである。
【考案の効果】
【００１３】
上記技術案を採用した本考案の設計思想および有益な効果は、以下のとおりである。
【００１４】
本考案のＬＥＤ照明装置は、灯具を同時に無線ネットワークのルーターまたは無線集線器とすることができる。こうして一つの灯具が信号を受信すれば、該信号が次々と転送され、無線ネットワークのカバー範囲が持続的に延伸及び拡張されるため、無線信号の伝播距離と通過力の制限が突破される。
【００１５】
また、本考案に記載するＬＥＤ照明装置は、単一のランプ体であっても、複数のランプ体からなる灯具であっても、単独またはアドホックネットワークの形式でインターネットおよびローカルエリアネットワークに無線の形式で接続されるため、灯具の状態の把握と制御とがより便利、迅速になる。
【図面の簡単な説明】
【００１６】
【図１】図１は、従来の無線制御に基づく照明システムの構造を示す図面である。
【図２】図２は、本考案のＬＥＤ照明装置の構造を示す図面である。
【図３】図３は、本考案のＬＥＤ照明ネットワークシステムの構造を示す図面である。
【考案を実施するための形態】
【００１７】
本考案の具体的な実施形態は、以下である。
【００１８】
実施例
本考案のＬＥＤ照明装置４０は、一つのＬＥＤ発光アセンブリ４１と、一つのＬＥＤ駆動回路４２と、一つの無線ルーティングモジュール４３とを含む。ここで、上記無線ルーティングモジュール４３とＬＥＤ駆動回路４２との間、ＬＥＤ駆動回路４２とＬＥＤ発光アセンブリ４１の間は、ともに電気的に接続されている。上記無線ルーティングモジュール４３は、例えばＬＥＤ駆動回路４２と一つの回路板に集積するなどで、ランプ体のハウジング内に内装されていてもよく、また、ランプ体のハウジングの表面に付着して取り付けられていてもよく、ランプ体の外に外付けされていてもよい。無線ルーティングモジュール４３とＬＥＤ駆動回路４２との間の電気的な接続によれば、例えばランプのスイッチ状態、光の調節強度など、ＬＥＤランプの状態検出を実現できる。同時に無線ルーティングモジュール４３は、受信した信号をＬＥＤ駆動回路４２の制御ポートに入力することによって、ランプの状態制御と明るさの調節などを実現する。更に、無線ルーティングモジュール４３は、ＰＷＭ信号をＬＥＤ駆動回路４２の光調節制御入力側に送信することで、光調節機能を実現できる。
【００１９】
ここで、ＬＥＤ照明装置４０は、例えば単一の電球のような単一の光源を限定的に指すのではなく、複数の電球が装着された灯具も含んでいる。これらの電球の駆動回路は、同様に同一の無線ルーティングモジュールに接続されるので、ランプの状態が検出され、制御、調整する。
【００２０】
図３に示されているのは、ＬＥＤ照明ネットワークシステムの構造図である。５０、６０、７０、８０、９０、１００は、いずれも上記ＬＥＤ照明装置を示す。ＬＥＤ照明装置５０は、その無線ルーティングモジュール５１を介して、その信号カバー範囲内のＬＥＤ照明装置６０、７０の無線ルーティングモジュール６１、７１と接続される。ＬＥＤ照明装置６０、７０の間も無線で接続される。同時に、ＬＥＤ照明装置６０、７０は、無線ルーターとして、それぞれＬＥＤ照明装置５０と、間隔をおいたＬＥＤ照明装置８０、９０、１００とを全て接続することで、ブリッジネットワーク構造を実現する。これで類推されるのは、網状構造の無線ネットワークが構成されることである。これによって、無線ネットワークが延伸されることとなり、単一の無線ルーターの信号距離と透過力の制限が突破される。一つの照明装置が指令を受信すれば、網形状構造の無線ネットワーク全体における各ノードに次々と転送される。オフィスビルやデパートなどの大型建築物の場合、無線制御がより便利になる。
【００２１】
本考案のＬＥＤ照明装置によるアドホックの無線ネットワークは、インターネットまたはローカルエリアネットワークにアクセスできる。よってユーザが該ネットワークに接続された端末を介して状態モニターと遠隔制御を実現できる。例えばスマートフォンで特定のアプリケーションプログラムを通じてＬＥＤ照明装置のスイッチ動作、明るさと色または色相の調節を実現できる。
【００２２】
本考案の動作原理と核心は、ＬＥＤ照明装置の無線ルーティング機能とアドホックネットワーキング機能を利用して、無線ネットワークがカバーする範囲の制限を突破すること、該アドホックネットワークはインターネットとローカルエリアネットワークアクセス能力を有すること、制御端末と無線ルーティングモジュールとを電気的に接続することにより遠隔的にネットワークを介してランプの状態と調節を制御することにある。
【００２３】
以上記載したのは、単に本考案にかかる実用新案登録の比較的好ましい実施例に過ぎない。ゆえに本考案にかかる実用新案登録出願の範囲に記載する構造、特徴および原理に基いた変化と修正は、関連分野の技術者にとって明らかなものであり、依然として付属する請求項によって規定されている本考案の精神と保護範囲内に属するものである。
【００２４】
［付記１］
少なくとも一つのＬＥＤ発光アセンブリと、少なくとも一つのＬＥＤ駆動回路と、無線信号を送受信し、無線ルーティング機能を有する少なくとも一つの無線ルーティングモジュールとを含み、
上記ＬＥＤ駆動回路は、ＬＥＤ発光アセンブリと無線ルーティングモジュールとにそれぞれ接続され、
上記無線ルーティングモジュールは、ＬＥＤ照明装置のハウジングの内部に設けられることを特徴とするＬＥＤ照明装置。
［付記２］
上記無線ルーティングモジュールは、無線信号を介してインターネットネットワークまたはローカルエリアネットワークにアクセスすることを特徴とする付記１に記載のＬＥＤ照明装置。
［付記３］
少なくとも二つの、付記１に記載のＬＥＤ照明装置であるノードからなるＬＥＤ照明ネットワークシステムであって、各ノードは、受信した無線信号を、その無線信号がカバーする範囲内の、その他のノードまで転送することを特徴とするＬＥＤ照明ネットワークシステム。
［付記４］
無線信号を介してインターネットネットワークまたはローカルエリアネットワークにアクセスすることを特徴とする付記３に記載のＬＥＤ照明ネットワークシステム。
［付記５］
該システムにおけるノードに対して状態読取と遠隔制御を実現する制御端末を更に含み、上記制御端末は、無線信号を介して各ノードに接続されることを特徴とする付記３に記載のＬＥＤ照明ネットワークシステム。
［付記６］
上記制御端末は、コンピュータ、タブレットＰＣまたはスマートフォンであることを特徴とする付記５に記載のＬＥＤ照明ネットワークシステム。
【図１】
0003198263.tif 000003
【図２】
0003198263.tif 000004
【図３】
0003198263.tif 000005